(57)【要約】【課題】ネットワークへ接続されていない被制御コンピュータ１５を制御用コンピュータ２５から制御可能なコンピュータ制御方法を、提供する。【解決手段】マウスポインタが移動した場合、マウスポインタ座標を示す第１種マウス制御音を出力し、マウスポインタイベントが発生した場合、マウスポインタ座標と発生したマウスボタンイベントの種類を示す第２種マウス制御音を出力するマウス制御音出力プログラム２０を、制御用コンピュータ２５に実行させ、第１種マウス制御音が入力された場合、マウスポインタ座標を当該第１種マウス制御音が示している表示位置まで移動し、第２種マウス制御音が入力された場合、マウスポインタ座標を当該第２種マウス制御音が示している表示位置まで移動した後に、当該第２種マウス制御音が示している種類のマウスボタンイベントを発生させるマウス制御プログラム１０を、被制御コンピュータ１５に実行させる。【選択図】  図１
2006268510.tif 000002
【特許請求の範囲】
【請求項１】
制御用コンピュータに対する操作で被制御コンピュータを制御するためのコンピュータ制御方法であって、
マウスポインタの移動と複数のマウスボタンイベントの発生とを監視して、マウスポインタが移動した場合には、マウスポインタの表示位置を示す第１種マウス制御音を出力し、前記複数のマウスポインタイベントのいずれかが発生した場合には、マウスポインタの表示位置と発生したマウスボタンイベントの種類を示す第２種マウス制御音を出力するマウス制御音出力処理を、前記制御用コンピュータに、バックグラウンド処理として実行させ、
前記第１種マウス制御音或いは前記第２種マウス制御音が入力されるのを監視し、前記第１種マウス制御音が入力された場合には、マウスポインタの表示位置を当該第１種マウス制御音が示している表示位置まで移動し、前記第２種マウス制御音が入力された場合には、マウスポインタの表示位置を当該第２種マウス制御音が示している表示位置まで移動した後に、当該第２種マウス制御音が示している種類のマウスボタンイベントを発生させるマウス制御処理を、前記被制御コンピュータに、バックグラウンド処理として実行させ、
前記制御用コンピュータが出力する各マウス制御音を前記被制御コンピュータに入力する
ことを特徴とするコンピュータ制御方法。
【請求項２】
前記マウス制御音出力処理が、前記第１種マウス制御音，前記第２種マウス制御音のいずれとしても、マウスポインタの表示位置のＸ座標値に応じた周波数の音と、当該表示位置のＹ座標値に応じた周波数の音とを含む音を出力する処理である
ことを特徴とする請求項１記載のコンピュータ制御方法。
【請求項３】
前記マウス制御音出力処理が、前記第２種マウス制御音として、発生したマウスポインタの種類に応じた周波数の音を含む音を出力する処理である
ことを特徴とする請求項１又は請求項２記載のコンピュータ制御方法。
【請求項４】
コンピュータに、
マウスポインタの移動と複数のマウスボタンイベントの発生とを監視して、マウスポインタが移動した場合には、マウスポインタの表示位置を示す第１種マウス制御音を出力し、前記複数のマウスポインタイベントのいずれかが発生した場合には、マウスポインタの表示位置と発生したマウスボタンイベントの種類を示す第２種マウス制御音を出力するマウス制御音出力処理を、バックグラウンド処理として実行させる
ことを特徴とするマウス制御音出力プログラム。
【請求項５】
コンピュータに、
マウスポインタの表示位置を示す第１種マウス制御音或いはマウスポインタの表示位置と発生したマウスボタンイベントの種類を示す第２種マウス制御音が入力されるのを監視し、前記第１種マウス制御音が入力された場合には、マウスポインタの表示位置を当該第１種マウス制御音が示している表示位置まで移動し、前記第２種マウス制御音が入力された場合には、マウスポインタの表示位置を当該第２種マウス制御音が示している表示位置まで移動した後に、当該第２種マウス制御音が示している種類のマウスボタンイベントを発生させるマウス制御処理を、バックグラウンド処理として実行させる
ことを特徴とするマウス制御プログラム。
【発明の詳細な説明】
【技術分野】
【０００１】
本発明は、コンピュータの操作法を電話にて教えるためや、遠隔地に存在するコンピュータを操作してしまうために使用されるコンピュータ制御方法，マウス制御音出力プログラム及びマウス制御プログラムに、関する。
【背景技術】
【０００２】
周知のように、コンピュータメーカーやソフトベンダーの多くは、自社製品に関する電話での問い合わせを受け付けるためのサポートセンタ（電話応対センタ，ヘルプデスク，コールセンタ等とも呼ばれている）を運営しているが、コンピュータやソフトの操作法を問い合わせ者に電話で教えるという作業は、極めて困難な作業である。
【０００３】
このため、コンピュータ関連のサポートセンタの中には、サポートセンタ側のコンピュータから顧客のコンピュータをリモート制御する形のサポートを行えるようにしたもの（例えば、特許文献１参照。）が、存在している。
【０００４】
ただし、サポートセンタ側のコンピュータから顧客のコンピュータをリモート制御するために，現在，用いられているリモート制御技術は、顧客のコンピュータがネットワークに接続されていることを必要とするものとなっている。換言すれば、従来のリモート制御技術は、自身のコンピュータをネットワークに接続していない顧客からの問い合わせに応答する際には、使用することが出来ない技術となっている。
【０００５】
【特許文献１】特開２００４−２４０９３０号公報
【発明の開示】
【発明が解決しようとする課題】
【０００６】
そこで、本発明の課題は、ネットワークへの接続の有無によらず，被制御コンピュータを，制御用コンピュータから制御することが出来るコンピュータ制御方法を、提供することにある。
【０００７】
また、本発明の他の課題は、それらを用いることにより、ネットワークへの接続の有無によらず，被制御コンピュータを，制御用コンピュータから制御することが可能となるマウス制御プログラム及びマウス制御音出力プログラムを、提供することにある。
【課題を解決するための手段】
【０００８】
上記課題を解決するために、本発明のコンピュータ制御方法では、マウスポインタの移動と複数のマウスボタンイベントの発生とを監視して、マウスポインタが移動した場合には、マウスポインタの表示位置を示す第１種マウス制御音を出力し、複数のマウスポインタイベントのいずれかが発生した場合には、マウスポインタの表示位置と発生したマウスボタンイベントの種類を示す第２種マウス制御音を出力するマウス制御音出力処理を、制御用コンピュータに、バックグラウンド処理として実行させ、第１種マウス制御音或いは第２種マウス制御音が入力されるのを監視し、第１種マウス制御音が入力された場合には、マウスポインタの表示位置を当該第１種マウス制御音が示している表示位置まで移動し、第２種マウス制御音が入力された場合には、マウスポインタの表示位置を当該第２種マウス制御音が示している表示位置まで移動した後に、当該第２種マウス制御音が示している種類のマウスボタンイベントを発生させるマウス制御処理を、被制御コンピュータに、バックグラウンド処理として実行させ、制御用コンピュータが出力する各マウス制御音を被制御コンピュータに入力することにより、制御用コンピュータに対する操作で被制御コンピュータを制御できるようにする。
【０００９】
すなわち、本発明のコンピュータ制御方法は、マウス制御音によって，被制御コンピュータが制御される方法となっている。従って、このコンピュータ制御方法によれば、ネットワークへ接続されていない被制御コンピュータを制御用コンピュータから制御できることになる。
【００１０】
本発明のコンピュータ制御方法を実施するに際して、制御用コンピュータに実行させるマウス制御音出力処理は、第１種／第２種マウス制御音として、その音から、マウスポインタの表示位置／マウスポインタの表示位置及び発生したマウスボタンイベントの種類が分かる音を出力するものでありさえすれば良いので、マウス制御音出力処理を、第１種マウス制御音，第２種マウス制御音のいずれとしても、マウスポインタの表示位置のＸ座標値に応じた周波数の音と、当該表示位置のＹ座標値に応じた周波数の音とを含む音を出力する処理としておいても良い。また、マウス制御音出力処理を、第２種マウス制御音として、発生したマウスポインタの種類に応じた周波数の音を含む音を出力する処理しておくことも、出来る。
【００１１】
そして、本発明のマウス制御音出力プログラムは、コンピュータに、マウスポインタの移動と複数のマウスボタンイベントの発生とを監視して、マウスポインタが移動した場合には、マウスポインタの表示位置を示す第１種マウス制御音を出力し、複数のマウスポインタイベントのいずれかが発生した場合には、マウスポインタの表示位置と発生したマウスボタンイベントの種類を示す第２種マウス制御音を出力するマウス制御音出力処理を、バックグラウンド処理として実行させることが可能なプログラムであり、本発明のマウス制御プログラムは、コンピュータに、マウスポインタの表示位置を示す第１種マウス制御音或いはマウスポインタの表示位置と発生したマウスボタンイベントの種類を示す第２種マウス制御音が入力されるのを監視し、第１種マウス制御音が入力された場合には、マウスポインタの表示位置を当該第１種マウス制御音が示している表示位置まで移動し、第２種マウス制御音が入力された場合には、マウスポインタの表示位置を当該第２種マウス制御音が示している表示位置まで移動した後に、当該第２種マウス制御音が示している種類のマウスボタンイベントを発生させるマウス制御処理を、バックグラウンド処理として実行させることが可能なプログラムであるので、これらのプログラムを用いれば、ネットワークへ接続されていない被制御コンピュータを制御用コンピュータから制御できることになる。
【発明の効果】
【００１２】
本発明のコンピュータ制御方法，マウス制御プログラム及びマウス制御音出力プログラムを用いれば、ネットワークへ接続されていない被制御コンピュータを制御用コンピュータから制御できるので、ネットワークへ接続されていない被制御コンピュータの操作者に、コンピュータの操作法を電話で教えることが簡単に行えることになる。また、ネットワークへ接続されていない被制御コンピュータを、制御用コンピュータから操作してしまうことも可能となる。
【発明を実施するための最良の形態】
【００１３】
以下、本発明を実施するための最良の形態を、図面を参照して詳細に説明する。
【００１４】
図１に模式的に示してあるように、本発明の一実施形態に係るマウス制御プログラム１０，マウス制御音出力プログラム２０は、それぞれ、被制御コンピュータ１５，制御用コンピュータ２５上で実行されるプログラムである。
【００１５】
マウス制御音出力プログラム２０が実行される制御用コンピュータ２５は、コンピュータの操作法（アプリケーションプログラムやＷｅｂページの操作法）を教えることが出来る者（以下、第２操作者と表記する）が使用する，スピーカーを備えたコンピュータ（音を出力可能なコンピュータ）である。また、マウス制御プログラム１０が実行される被制御コンピュータ１５は、第２操作者から、アプリケーションプログラムやＷｅｂページの操作法を教わる者（以下、第１操作者と表記する）が使用する，マイクを備えたコンピュータ（音を入力可能なコンピュータ）である。
【００１６】
そして、本実施形態に係るマウス制御プログラム１０，マウス制御音出力プログラム２０は、制御用コンピュータ２５のスピーカーから出力される音が，電話回線を介して被制御コンピュータ１５のマイクに入力される状態で、使用されるプログラムとなっている。
【００１７】
以上のことを前提に、以下、本実施形態に係るマウス制御プログラム１０，マウス制御音出力プログラム２０の構成及び動作を、さらに具体的に説明する。
【００１８】
図２に模式的に示したように、マウス制御プログラム１０，マウス制御音出力プログラム２０は、同内容の１０種の情報（Ｘ座標音周波数上限値，Ｘ座標音周波数下限値，Ｙ座標音周波数上限値，Ｙ座標音周波数下限値，右ボタンダウン音周波数，右ボタンアップ音周波数，右ボタンクリック音周波数，左ボタンダウン音周波数，左ボタンアップ音周波数及び左ボタンクリック音周波数）がコーディングされている（プログラム中で使用されている）プログラムとなっている。
【００１９】
また、マウス制御プログラム１０，マウス制御音出力プログラム２０は、これらの情報間に、右ボタンダウン音周波数＞右ボタンアップ音周波数＞右ボタンクリック音周波数＞左ボタンダウン音周波数＞左ボタンアップ音周波数＞左ボタンクリック音周波数＞Ｘ座標音周波数上限値＞Ｘ座標音周波数下限値＞Ｙ座標音周波数上限値＞Ｙ座標音周波数下限値という関係が成立するように作成されたプログラムとなっている。
【００２０】
そして、マウス制御音出力プログラム２０は、制御用コンピュータ２５に、図３に示した手順のマウス制御音出力処理を、バックグラウンド処理として実行させることが出来るものとなっている。
【００２１】
すなわち、マウス制御音出力プログラム２０は、起動されると、まず、ディスプレイのＸ，Ｙ方向解像度（Ｘ，Ｙ方向の画素数）をＯＳから取得する(ステップＳ１０１)。
【００２２】
次いで、マウス制御音出力プログラム２０は、取得したＸ方向解像度でＸ座標音周波数範囲値を割った値を，Ｘ座標周波数変換係数として記憶する処理(ステップＳ１０２)と、取得したＹ方向解像度でＹ座標音周波数範囲値を割った値を、Ｙ座標周波数変換係数として記憶する処理(ステップＳ１０３)とを行う。ここで、Ｘ座標音周波数範囲値とは、Ｘ座標音周波数上限値からＸ座標音周波数下限値を減じた値（“Ｘ座標音周波数上限値−Ｘ座標音周波数下限値”；図２参照）のことであり、Ｙ座標音周波数範囲値とは、Ｙ座標音周波数上限値からＹ座標音周波数下限値を減じた値のことである。
【００２３】
ステップＳ１０１〜Ｓ１０３の処理を終えたマウス制御音出力プログラム２０は、マウスポインタ移動イベント，左ボタンダウンイベント，左ボタンアップイベント，左ボタンクリックイベント，右ボタンダウンイベント，右ボタンアップイベント，及び，右ボタンクリックイベントといった各種マウスイベントの発生を監視する処理(ステップＳ１０４)を開始する。なお、マウスポインタ移動イベントとは、マウスポインタが所定距離（本実施形態では、３ドット）以上移動したというイベントのことである。また、図示は省略してあるが、本実施形態に係るマウス制御音出力プログラム２０は、このステップＳ１０４において、所定のキーボード操作（特定の３つのキーの同時押下）が行われたことを検出した際には、動作を停止するプログラムとなっている。
【００２４】
マウス制御音出力プログラム２０は、いずれかのマウスイベントの発生を検出した場合(ステップＳ１０４；ＹＥＳ)には、発生したマウスイベントがマウスポインタ移動イベントであるか否かを判断する(ステップＳ１０５)。
【００２５】
そして、マウス制御音出力プログラム２０は、発生したマウスイベントがマウスポインタ移動イベントであった場合(ステップＳ１０５；ＹＥＳ)には、その時点におけるマウスポインタのＸ，Ｙ座標値、Ｘ，Ｙ座標周波数変換係数等から求めた周波数のＸ，Ｙ座標音とからなるマウス制御音（Ｘ座標音とＹ座標音の和音）を、一定時間，出力する処理(ステップＳ１０６)を行う。より具体的には、マウス制御音出力プログラム２０は、このステップＳ１０６において、マウスポインタのＸ座標値とＸ座標周波数変換係数の乗算結果にＸ座標音周波数下限値を加算することによって得た周波数（“Ｘ座標値・Ｘ座標周波数変換係数＋Ｘ座標音周波数下限値”）のＸ座標音と、マウスポインタのＹ座標値とＹ座標周波数変換係数の乗算結果にＹ座標音周波数下限値を加算することによって得られた周波数のＹ座標音とからなるマウス制御音を、一定時間（本実施形態では、およそ、０．３秒），出力する処理を、行う。
【００２６】
また、マウス制御音出力プログラム２０は、発生したマウスイベントがマウスポインタ移動イベントではなかった場合(ステップＳ１０５；ＮＯ)には、上記したＸ座標音及びＹ座標音と、発生したマウスボタンイベントに対応づけられている周波数（右ボタンダウン音周波数，右ボタンアップ音周波数，右ボタンクリック音周波数，左ボタンダウン音周波数，左ボタンアップ音周波数，或いは，左ボタンクリック音周波数）のマウスイベント音とからなるマウス制御音を、一定時間，発生する処理(ステップＳ１０７)を行う。
【００２７】
そして、ステップＳ１０６或いはＳ１０７の処理を終えたマウス制御音出力プログラム２０は、ステップＳ１０４の処理を再び開始する。
【００２８】
要するに、マウス制御音出力プログラム２０は、マウスが移動された際（マウスポインタが移動した際）やマウスボタンが操作された際に、マウスポインタの表示位置（及びマウスボタンが操作されていないこと）を示すマウス制御音（Ｘ座標音とＹ座標音とからなるマウス制御音）や，マウスポインタの表示位置とマウスボタンに対する操作内容を示すマウス制御音（Ｘ座標音，Ｙ座標音及びマウスイベント音からなるマウス制御音）を出力するプログラムとなっている。
【００２９】
一方、マウス制御プログラム１０は、起動されると、図４に示した手順のマウス制御処理を、制御用コンピュータ１５にバックグランド処理として実行させるプログラムとして作成されている。
【００３０】
すなわち、マウス制御プログラム１０は、起動されると、まず、ディスプレイのＸ，Ｙ方向解像度をＯＳから取得する(ステップＳ２０１)
【００３１】
次いで、マウス制御プログラム１０は、取得したＸ方向解像度をＸ座標音周波数範囲値で割った値を、周波数Ｘ座標変換係数として記憶する処理(ステップＳ２０２)と、取得したＹ方向解像度をＹ座標音周波数範囲値で割った値を、周波数Ｙ座標変換係数として記憶する処理(ステップＳ２０３)とを行う。
【００３２】
そして、マウス制御プログラム１０は、マウス制御音が被制御コンピュータ１５のマイクから入力されるのを監視する処理（ステップＳ２０４）を繰り返す状態となる。
【００３３】
このステップＳ２０４にて，マウス制御プログラム１０が実際に実行する処理は、被制御コンピュータ１５のマイクから入力された音（マイク等によりデジタルデータ化された音）に、Ｘ座標音周波数範囲（Ｘ座標音周波数下限値からＸ座標音周波数上限値までの周波数範囲）内の周波数の所定強度以上の音と、Ｙ座標音周波数範囲（Ｙ座標音周波数下限値からＹ座標音周波数上限値までの周波数範囲）内の周波数の所定強度以上の音とが含まれているか否かをチェックし、マイクから入力された音に，そのような２種の音が含まれていた場合に、マウス制御音が入力された（マイクに入力された音がマウス制御音である）と判断する処理である。
【００３４】
なお、図示は省略してあるが、マウス制御プログラム１０は、マウス制御音出力プログラム２０と同様に、このステップＳ２０４において、所定のキーボード操作（特定の３つのキーの同時押下）が行われたことを検出した際には、動作を停止するプログラムとなっている。
【００３５】
マウス制御音が入力されたと判断した場合(ステップＳ２０４；ＹＥＳ)、マウス制御プログラム１０は、当該マウス制御音をさらに解析する（マウス制御音にボタンイベント音が含まれているか否かを、６種のボタンイベント音のそれぞれについてチェックする）ことにより、制御用コンピュータ２５におけるマウスボタンイベントの発生の有無や、制御用コンピュータ２５にて発生したマウスボタンイベントの種類を把握する(ステップＳ２０５)。
【００３６】
そして、マウス制御プログラム１０は、制御用コンピュータ２５にていずれのマウスボタンイベントも発生していなかった場合(ステップＳ２０６；ＹＥＳ)には、Ｘ座標値，Ｙ座標値が、それぞれ、“（マウス制御音中のＸ座標音の周波数−Ｘ座標音周波数下限値）・周波数Ｘ座標変換係数”，“（マウス制御音中のＹ座標音の周波数−Ｙ座標音周波数下限値）・周波数Ｙ座標変換係数”と一致している位置（図では、マウス制御音が示している位置）まで、マウスポインタを移動させる処理(ステップＳ２０７)を行う。
【００３７】
また、マウス制御音出力プログラム２０は、マウス制御音出力プログラム２０にて或るマウスボタンイベントが発生していた場合(ステップＳ２０６；ＮＯ)には、ステップＳ２０８にて、ステップＳ２０７と同内容の処理を行ってから、ステップＳ２０９にて、制御用コンピュータ２５にて発生した種類のマウスボタンイベントを発生させる処理を行う。
【００３８】
そして、ステップＳ２０７或いはステップＳ２０９の処理を終えたマウス制御音出力プログラム２０は、ステップＳ２０４の処理を再び開始する。
【００３９】
要するに、本実施形態に係るマウス制御プログラム１０，マウス制御音出力プログラム２０は、以下に例示するような形で使用すれば、第１操作者（被制御コンピュータ１５の操作者）が、第２操作者（制御用コンピュータ２５の操作者）から、アプリケーションプログラムやＷｅｂページの操作法を教わることが出来るプログラムとなっている。
【００４０】
まず、第１操作者は、第２操作者に電話をかけ、操作法を知りたいアプリケーションプログラム／Ｗｅｂページの名称／ＵＲＬと，被制御コンピュータ１５のディスプレイの解像度とを、第２操作者に通知する。そして、第１操作者は、電話機の動作モードをスピーカモードにした上で、被制御コンピュータ１５にインストールされているマウス制御プログラム１０を起動しておく。
【００４１】
一方、アプリケーションプログラム／Ｗｅｂページの名称／ＵＲＬと、被制御コンピュータ１５のディスプレイの解像度とが通知された第２操作者は、制御用コンピュータ２５のディスプレイの解像度を，通知されたものに合わせる作業と、通知された名称のアプリケーションプログラムを起動する作業，或いは、通知されたＵＲＬのＷｅｂページをディスプレイ上に表示させる作業を、行う。そして、第２操作者は、電話機の動作モードをスピーカモードにした上で、制御用コンピュータ２５にインストールされているマウス制御音出力プログラム２０を起動しておく。
【００４２】
これらの作業が行われると、制御用コンピュータ２５内でマウス制御音出力処理（図３）が実行されており、被制御コンピュータ１５内でマウス制御処理（図４）が実行されている状態となる。すなわち、制御用コンピュータ２５のマウスを移動させると、被制御コンピュータ１５のディスプレイ上のマウスポインタが，制御用コンピュータ２５のディスプレイ上のマウスポインタと同位置に移動し、制御用コンピュータ２５のマウスのボタンを操作すると、制御用コンピュータ２５及び被制御コンピュータ１５にて、同じマウスボタンイベントが発生する状態となる。
【００４３】
従って、第２操作者は、第１操作者と会話をしながら、制御用コンピュータ２５のマウスを操作することにより、操作すべきアイテム（ボタンやリンク）の場所を知らせることや、当該アイテムを実際に操作してしまうことが出来ることになり、その結果として、第１操作者は、操作すべきアイテムの場所を、言葉によってではなく、ディスプレイ上のマウスポインタの位置によって、教わることが出来ることになる。
【００４４】
《変形形態》
上記したマウス制御プログラム１０，マウス制御音出力プログラム２０は、各種の変形を行うことが出来る。例えば、マウス制御音出力プログラム２０を、Ｘ座標音とＹ座標音とを含むマウス制御音ではなく、その周波数が，マウスポインタのＸ，Ｙ座標値を示すＸＹ座標音（例えば、その周波数が“2000Ｙ＋Ｘ”の関数となっているＸＹ座標音）を含むマウス制御音を出力するものに変形し、マウス制御プログラム１０を、当該マウス制御音から、マウスポインタのＸ，Ｙ座標値を求められるものに変形しておいても良い。
【００４５】
また、マウス制御音出力プログラム２０を、時間的に変化するマウス制御音（その時間変化パターンがマウスポインタの座標等を表すマウス制御音）を出力するものに変形することも可能である。ただし、そのようなマウス制御音から、マウスポインタのＸ，Ｙ座標値を求められるマウス制御プログラム１０を作成するのは困難なので、実施形態のような構成を採用しておくことが望ましい。
【００４６】
また、当然のことではあるが、マウス制御プログラム１０，マウス制御音出力プログラム２０を、同一室内に存在する制御用コンピュータ２５から被制御コンピュータ１５を制御するために（マウス制御音が通信回線を介さずに制御用コンピュータ２５から被制御コンピュータ１５に供給される形で）用いても良い。
【図面の簡単な説明】
【００４７】
【図１】本発明の一実施形態に係るマウス制御プログラム，マウス制御音出力プログラムの使用法を説明するための図。
【図２】実施形態に係るマウス制御プログラム，マウス制御音出力プログラムに共通して設定されている情報の説明図。
【図３】マウス制御音出力プログラムが実行するマウス制御音出力処理の流れ図。
【図４】マウス制御プログラムが実行するマウス制御処理の流れ図。
【符号の説明】
【００４８】
１０  マウス制御プログラム
１５  被制御コンピュータ
２０  マウス制御音出力プログラム
２５  制御用コンピュータ
【図１】
2006268510.tif 000003
【図２】
2006268510.tif 000004
【図３】
2006268510.tif 000005
【図４】
2006268510.tif 000006